(57)【要約】【課題】スクリーン版に接触するパッキンの接触部の構造を特殊な形状に形成して、シール構造部付近の洗浄液の滞留を除去して洗浄効果の優れたスクリーン版の洗浄装置を実現する。【解決手段】本発明は、パッキンガイドを介してフード状の洗浄ブースの周辺部に取り付けられたパッキンをスクリーン版に接触させてシールし、洗浄ブースの内部でスクリーン版に洗浄液を噴射して洗浄するスクリーン版洗浄装置であって、スクリーン版に接触するパッキンの先端部の断面形状を鋭角状とし、パッキンに先端部から洗浄ブースとの取付面に向かって傾斜する傾斜面を形成したスクリーン版洗浄装置を構成した。【選択図】        図１
2004230864.tif 000002
【特許請求の範囲】
【請求項１】
パッキンガイドを介してフード状の洗浄ブースの周辺部に取り付けられたパッキンをスクリーン版に接触させてシールし、前記洗浄ブースの内部でスクリーン版に洗浄液を噴射して洗浄するスクリーン版洗浄装置であって、
前記スクリーン版に接触するパッキンの先端部の断面形状を鋭角状とし、前記パッキンに前記先端部から前記洗浄ブースとの取付面に向かって傾斜する傾斜面を形成したことを特徴とするスクリーン版洗浄装置。
【請求項２】
前記パッキンのスクリーン版との対向面は、逃げ角θ分傾いた傾斜面となっており、該対向面とスクリーン版とは押圧により密着されることを特徴とする請求項１記載のスクリーン版洗浄装置。
【請求項３】
前記パッキンガイドにおける少なくともスクリーン版に対向する端部の断面形状を鋭角状に形成したことを特徴とする請求項１または２記載のスクリーン版洗浄装置。
【発明の詳細な説明】
【０００１】
【発明の属する技術分野】
この発明は、スクリーン印刷に使用するスクリーン版の両側をフード状の洗浄ブースで覆って、この洗浄ブースの内部でスクリーン版の洗浄面に洗浄液を噴射してペースト等の付着物を洗浄するスクリーン版洗浄装置に関するものである。
【０００２】
【従来の技術】
出願人は、先にこの種のスクリーン版の洗浄装置の発明を特許出願し、特許第２９５５９９０号を取得した。この特許発明は同公報（図面による図示を省略）にも記載されているように、洗浄領域を設定した部分洗浄になっているので、洗浄液に無駄がなく効果的な洗浄を実施できる等の種々の効果が得られる特徴がある。上記の特許取得後も出願人会社においてはこの洗浄装置に関する研究開発が継続的に行われた結果、対象装置に更に本願発明の改良が加えられて一層優れたスクリーン版の洗浄装置を実現したものである。
【０００３】
ここで、上記従来の特許発明のスクリーン版の洗浄装置におけるシール構造の概略構成を、第６図に示す。詳しい構成は図示されていないが、スクリーン版の洗浄領域をフード状に包囲する洗浄ブース１０２の周辺に、断面形状が蒲鉾形の発泡性のパッキン１０５が設けられている。そして、洗浄時にこのパッキン１０５をスクリーン版１０１の洗浄面に接触させて、洗浄ブース１０２の内部でスクリーン版１０１に向けて噴射して洗浄した洗浄液１０３の漏洩をシールするようになっている。洗浄後は両側の洗浄ブース１０２との接触を開放して、洗浄ブース１０２内にセットされたスクリーン版１０１が取り出される。（例えば、特許文献１参照）
【０００４】
【特許文献１】
特許第２９５５９９０号公報（第３−４頁、第１図ほか）
【０００５】
【発明が解決しようとする課題】
従来の洗浄ブース１０２のシール構造は上述のように、スクリーン版１０１を洗浄中に洗浄ブース１０２の周辺にある断面形状が蒲鉾形のパッキン１０５との接触圧をシールに利用するようになっていた。このため、図６（ａ）に示すように蒲鉾形のパッキン１０５とスクリーン版１０１との接触部分に窪みが形成され易いので、これらの窪みに洗浄後の洗浄液１０３が溜まることが懸念される。そして、そのままセットされたスクリーン版１０１を取り出すときに左右の洗浄ブース１０２を引き離して開放すると、図６（ｂ）に示すように溜まっていた洗浄液１０３がスクリーン版１０１の側面等を伝わり流れ落ちて付近を汚すような心配があった。さらに、ペーストを含んで滞留した洗浄液１０３が乾燥工程で固形化して、固着することも予想された。
【０００６】
このほか一般的には、図７に示すような断面形状が長方形のパッキン１０６を採用することも考えられるが、この場合も滞留量に多少の差異があるとしても上記と同様な何らかの不都合が生じることが懸念された。
本発明は上記のような従来装置の心配をなくすためになされたもので、スクリーン版に接触するパッキンの接触部の構造を特殊な形状に形成して、シール構造部付近の洗浄液の滞留を除去して一層洗浄効果の優れたスクリーン版の洗浄装置を実現するようにしたものである。
【０００７】
【課題を解決するための手段】
本発明は、パッキンガイドを介してフード状の洗浄ブースの周辺部に取り付けられたパッキンをスクリーン版に接触させてシールし、前記洗浄ブースの内部でスクリーン版に洗浄液を噴射して洗浄するスクリーン版洗浄装置であって、前記スクリーン版に接触するパッキンの先端部の断面形状を鋭角状とし、前記パッキンに前記先端部から前記洗浄ブースとの取付面に向かって傾斜する傾斜面を形成したスクリーン版洗浄装置を構成したものである。
また、上記において、前記パッキンのスクリーン版との対向面は、逃げ角θ分傾いた傾斜面となっており、該対向面とスクリーン版とは押圧により密着されるスクリーン版洗浄装置を構成したものである。
また、上記において、前記パッキンガイドにおける少なくともスクリーン版に対向する端部の断面形状を鋭角状に形成したスクリーン版洗浄装置を構成したものである。
【０００８】
【発明の実施の形態】
以下、本発明を、図面を用いて説明する。
図１は本発明の実施の形態の構成断面図、図２はその要部の拡大断面図で、それぞれ（ａ）は洗浄ブースの開いた状態図、（ｂ）は閉じた状態図、図３は洗浄動作を示す説明図である。
図１と図２において、１はフランジ１１を有するスクリーン版、２はスクリーン版１の左右に設けられた対称構造のフード状の洗浄ブース、３は洗浄液である。スクリーン版１の版面には貫通する多数のスリット（不図示）が形成されている。そして、洗浄ブース２（以下、複数併記を省略）の周辺部がスクリーン版１の前面（表面）と裏面に接触して、図１（ｂ）、図２（ｂ）のように両側の洗浄面が覆われて内部に洗浄室が形成されるようになっている。４は左右の洗浄ブース２における周辺の開口部の内側に設けられたパッキンガイド、５はパッキンガイド４に挟着して基部が保持されたパッキンである。
【０００９】
パッキン５は図２に拡大して示すように、共に断面が三角形状に構成されている。そして、パッキン５のスクリーン版１に対向する端部の先端は鋭角状に形成され、この先端がスクリーン版１に向かって突出していて図示のような逃げ角θが形成されている〔図２（ａ）〕。このように構成したパッキン５は洗浄時に図２（ｂ）のように、突出部がスクリーン版１の版面に押圧されて逃げ角θがなくなって直角三角形状に変形する。また、パッキンガイド４のスクリーン版１に対向する端部も同様に鋭角状に切除されて、極端な段差が生じないようになっている。６は洗浄室内でそれぞれ水平方向に３段に設けられた送液管、７は送液管６の各々の側面で噴射口を洗浄ブース２の開口部側に向けて突出する洗浄ノズル、８は戻り液ダクトである。
【００１０】
（動作）の説明
スクリーン版１を洗浄するときは、図１（ｂ）のように、向かい合う洗浄ブース２を接近させてスクリーン版１の洗浄面を挟み込む。そして、両側から洗浄液３をスクリーン版１に噴射すると、吹き付けられた洗浄液３によりスクリーン版１の前面やスリット内のペーストやゴミ等の付着物が剥離される。剥離した付着物は図３に示すように、洗浄液３と共に洗浄ブース２の底面にある戻り液ダクト８を介してタンクに送り戻される。その後、例えば洗浄ブース２内に温風を送ってスクリーン版１を乾燥し、乾燥したスクリーン版１は図１（ａ）のように再び洗浄ブース２を開放してから外に取り出される。
【００１１】
上記のように、洗浄時には両面に吹き掛けられた洗浄液３が、付着物を含んでスクリーン版１の前面や裏面を伝わって流れ落ちることになる。この際、洗浄ブース２内の下方には断面形状が三角形のパッキン５があるので、版面を伝わって流れてきた洗浄液３が三角形のパッキン５の斜め部分をスムーズに流れ落ちることになる。また、パッキンガイド４のスクリーン版１に対向する先端も鋭角状になっていて段差がないので、到達した洗浄液３が溜まることなく流出する（図３の矢印を参照）。このときパッキン５は直角三角形状に変形してスクリーン版１に圧着しているので、洗浄液３の漏洩が防止されるようになっている。
【００１２】
（利用形態）の説明
なお、実施の形態では洗浄ブース２内でパッキン５を挟着して保持させたパッキンガイド４の構造を例示したが、パッキン５とパッキンガイド４の保持構造は図４や図５のように構成してもよい。即ち、図４ではパッキン５の基部の断面をコ字形に形成して、このコ字溝にパッキンガイド４の先端を挿入して保持したものである。また、図５でもパッキン５を同様にコ字形に形成しているが、ここではパッキン５が洗浄ブース２に直接保持される構造が採用されている。何れにしても、洗浄液３の溜まり易い部分の無い構造ならば、図４や図５以外の構造にしても差し使いがない。特に、図５によれば、パッキンガイド４が不要になるので、安価に構成できる長所がある。
【００１３】
【発明の効果】
以上説明したように本発明は、パッキンガイドを介してフード状の洗浄ブースの周辺部に取り付けられたパッキンをスクリーン版に接触させてシールし、洗浄ブースの内部でスクリーン版に洗浄液を噴射して洗浄するスクリーン版洗浄装置であって、スクリーン版に接触するパッキンの先端部の断面形状を鋭角状とし、パッキンに先端部から洗浄ブースとの取付面に向かって傾斜する傾斜面を形成したスクリーン版洗浄装置を構成した。また、上記において、パッキンのスクリーン版との対向面は、逃げ角θ分傾いた傾斜面となっており、この対向面とスクリーン版とは押圧により密着されるスクリーン版洗浄装置を構成した。さらに、上記において、パッキンガイドにおける少なくともスクリーン版に対向する端部の断面形状を鋭角状に形成したスクリーン版洗浄装置を構成した。
この結果、洗浄液の滞留や洗浄後の付着物の固形化の発生が生じ易い窪みや段差がなくなり、洗浄ブース内におけるスクリーン版の洗浄中の洗浄液の流出が円滑になって洗浄液の滞留や洗浄後の付着物の固形化の発生等を防止でき、前記した特許発明による洗浄効果を一層向上させることができる。特に、パッキンに逃げ角θを形成したので、スクリーン版のセット時の傾斜面が確保されると共に圧着力も強化されてシール機能を向上させることもできる。
また、窪みや段差の減少は同時に気流の流れを円滑にするので、ホットエアーの無駄な消費がなくなり省力化に寄与できる利点もある。
【図面の簡単な説明】
【図１】本発明の実施の形態の構成断面図である。
【図２】図１の要部の拡大断面図である。
【図３】本発明の洗浄動作を示す説明図である。
【図４】本発明の別の実施の形態を示す説明図である。
【図５】本発明のさらに別の実施形態を示す説明図である。
【図６】従来の洗浄部の構成断面図である。
【図７】従来の別の洗浄部の構成断面図である。
【符号の説明】
１  スクリーン版
２  洗浄ブース
３  洗浄液
４  パッキンガイド
５  パッキン
６  送液管
７  洗浄ノズル
８  戻り液ダクト
【図１】
2004230864.tif 000003
【図２】
2004230864.tif 000004
【図３】
2004230864.tif 000005
【図４】
2004230864.tif 000006
【図５】
2004230864.tif 000007
【図６】
2004230864.tif 000008
【図７】
2004230864.tif 000009